(57)【特許請求の範囲】
【請求項１】
少なくとも、棒材の挿入口と受け座を有する保持部を備え、該保持部の挿入口の口縁に上記受け座方向に向かって傾斜する棒材の抜け止め爪片を一体に形成した合成樹脂製の棒材保持クリップおいて、上記抜け止め爪片の裏面と保持部の対向面間に、当該抜け止め爪片の拡開を規制する折り畳み可能な規制手段を介設したことを特徴とする棒材保持クリップ。
【発明の詳細な説明】
【０００１】
【産業上の利用分野】
本発明は、各種のロッドやパイプ等を保持する棒材保持クリップの改良に関するものである。
【０００２】
【従来の技術】
従来のこの種棒材保持クリップとして、例えば、実開平５−１０８５号公報や特公平５−８５７９６号公報に示すものが存する。
これら従来の保持クリップは、多少の構造上の相違を有するが、いずれも、合成樹脂で一体成形されて、基本的には、棒材の挿入口と受け座を有する保持部を備え、該保持部の挿入口の両側口縁又は片側口縁に対して、上記受け座方向に向かって傾斜する棒材の抜け止め爪片を一体に形成する構成となっている。
従って、実際の使用に際しては、抜け止め爪片の内方への撓みを得て、棒材を上記挿入口から保持部内に差し込めば、棒材は受け座と原形に復帰した抜け止め爪片の先端部の間で自動的に保持されることとなる。
【０００３】
【発明が解決しようとする課題】
然し乍ら、斯る従来の保持クリップにあっては、保持部内に対する棒材の差し込みを考慮して、その抜け止め爪片に弾力性を積極的に付与している関係で、外力が多少加わった場合には、それ程問題とはならないが、保持部内に保持されている棒材に抜け方向への大きな外力が加わると、抜け止め爪片の先端部でこれを抑えきれずに、逆に、抜け止め爪片自体が自身の弾力性で外方向に変形拡開して、棒材が保持部から容易に抜け外れてしまうばかりか、最悪の場合には、これに起因して、抜け止め爪片が自身の基部側から折損してしまう恐れを十分に有していた。
【０００４】
【課題を解決するための手段】
本発明は、斯る従来保持クリップの抱える課題を有効に解決するために開発されたもので、少なくとも、棒材の挿入口と受け座を有する保持部を備え、該保持部の挿入口の口縁に上記受け座方向に向かって傾斜する棒材の抜け止め爪片を一体に形成した合成樹脂製の棒材保持クリップを前提として、上記抜け止め爪片の裏面と保持部の対向面間に、当該抜け止め爪片の拡開を規制する折り畳み可能な規制手段を介設する構成を採用した。
【０００５】
【作用】
依って、本発明の下でも、抜け止め爪片の内方への撓みを得て、棒材を挿入口から保持部内に差し込めば、棒材は受け座と原形に復帰した抜け止め爪片の先端部の間で自動的に保持されることとなるが、斯る棒材の保持状態にあって、棒材に抜け方向への大きな外力が加わると、当該外力で、抜け止め爪片も外方へ変形拡開しようとする。
しかし、本発明にあっては、規制手段の介設により、抜け止め爪片の変形拡開を規制手段の伸長量の範囲内に抑えて、それ以上の大きな変形拡開を確実に阻止できるので、従来の如く、棒材が保持部内から容易に抜け外れたり、抜け止め爪片が自身の基部側から折損してしまう心配がない。
【０００６】
【実施例】
以下、本発明を図示する実施例に基づいて詳述すると、該実施例に係る保持クリップ１は、従来と同様に、合成樹脂の一体成形品で、図１に示す如く、棒材の挿入口３と受け座４を有する保持部２を二連に備え、該各保持部２の境にテーパーガイド面５ａ・５ｂを有するガイド壁部５を設けると共に、該ガイド壁部５と対向する各保持部２の挿入口３の片側口縁に、各受け座４方向に向かって傾斜する棒材の抜け止め爪片６を一体に形成し、且つ、一方の保持部２側にパネルに穿設されている取付孔に係合する固定片部７を一体に設ける構成となっている。
尚、この固定片部７に関しては、図面上では、相似形を呈するパネルの取付孔に挿入して９０°回転させることにより、保持クリップ１をパネル側に固定できる構造となしているが、固定片部７自体は、本発明の下では、それ程大きな意義を有するものではないので、公知の錨脚等の固定手段に変更できることは言うまでもない。
【０００７】
そして、本実施例は、斯る前提構成に加えて、図示する如く、上記各抜け止め爪片６の裏面と保持部２の各対向面間に折り畳み可能な規制手段８を一体に介設して、該規制手段８の規制作用で、外力に伴う抜け止め爪片６の外方への変形拡開を効果的に規制する構成を採用している。
これを具体的に説明すると、本実施例にあっては、特に、図２にも示す如く、規制手段８を折り畳みが良好となるくの字形状を呈する薄膜状となして、この薄膜状の規制手段８を抜け止め爪片６の裏面と保持部２の対向面間に一連に介設している。
但し、当該規制手段８としては、これ以外にも、例えば、図３のＡに示す如く、上記の薄膜状の規制手段８を紐状となして、該紐状の規制手段８を抜け止め爪片６の裏面と保持部２の対向面間に一定の間隔をおいて介設したり、或いは、図３のＢに示す如く、薄膜に代えて、規制手段８を棒状又は板状となして、該棒状又は板状の規制手段８の両端部と中間部に折り畳みを可能とするヒンジ部９を個々に形成して、同様に、抜け止め爪片６の裏面と保持部２の対向面間に介設すること等が考えられるので、規制手段８に関しては、適宜、種々のものに設計変更できるものである。
【０００８】
依って、斯る構成の保持クリップ１を用いて棒材Ｒを保持する場合には、図４に示す如く、クリップ１自体を上記固定片部７と取付孔Ｈを介してパネルＰ側に固定した後、従来と同様に、抜け止め爪片６の内方への撓みを得て、棒材Ｒを挿入口３から保持部２内に差し込めば、棒材Ｒは受け座４と抜け止め爪片６の先端部の間で自動的に保持されることとなる。
尚、斯る棒材Ｒの差し込みに際しては、例え、抜け止め爪片６の裏面側に規制手段８が介設されていると雖も、当該規制手段８は折り畳み構造を有しているので、抜け止め爪片６の内方への撓みが妨害される心配は決してない。
【０００９】
そして、斯る棒材Ｒの保持状態にあって、棒材Ｒに抜け方向への大きな外力が加わると、本実施例にあっても、当該外力で、抜け止め爪片６も外方へ変形拡開しようとするが、この時には、図５に示す如く、上記規制手段８の規制作用で、抜け止め爪片６の変形拡開を規制手段８の伸長量の範囲内に抑えて、それ以上の大きな変形拡開を確実に阻止するので、これにより、従来の如く、棒材Ｒが保持部２内から容易に抜け外れたり、抜け止め爪片６が自身の基部側から折損してしまうことが効果的に防止できることとなる。
又、棒材Ｒを保持部２内から引き抜く場合には、規制手段８を折り畳みながら、抜け止め爪片６を内方へ撓ませることにより、棒材Ｒを簡単に引き抜くことが可能となる。
【００１０】
尚、上記の実施例は、保持部２の挿入口３の片側口縁のみに抜け止め爪片６を形成し、且つ、該１個の抜け止め爪片６の先端部と棒材Ｒ間に隙間を持たせる構成となしたものであるが、これとは、逆に、図６に示す如く、保持部２の挿入口３の両側口縁に一対の抜け止め爪片６を形成して、該各抜け止め爪片６の先端部を棒材Ｒに弾接させる構成の下で、一対の抜け止め爪片６の裏面と保持部２の各対向面間に折り畳み可能な規制手段８を介設しても、同様な作用効果が期待できることは言うまでもない。
【００１１】
【発明の効果】
以上の如く、本発明は、上記構成の採用により、例え、保持状態にある棒材に抜け方向への大きな外力が加わっても、規制手段の介設により、抜け止め爪片の変形拡開を規制手段の伸長量の範囲内に抑えて、それ以上の大きな変形拡開を阻止できるので、従来の如く、棒材が保持部内から容易に抜け外れたり、抜け止め爪片が自身の基部側から折損してしまう心配が全くなくなった。
しかも、この規制手段は折り畳み可能なものであるから、保持部内に棒材を差し込む時には、抜け止め爪片の内方への十分な撓みを許容して、使用上の支障を来すことも決してない。
【図面の簡単な説明】
【図１】（Ａ）は本発明の実施例に係る棒材保持クリップを示す側面図、（Ｂ）は同平面図である。
【図２】規制手段の形状を示す要部断面図である。
【図３】規制手段の他例を示すもので、（Ａ）は要部側面図、（Ｂ）は要部断面図である。
【図４】棒材を保持した状態を示す断面図である。
【図５】抜け止め爪片の変形拡開が規制されている状態を説明する要部側面図である。
【図６】保持クリップ自体の他例を示す側面図である。
【符号の説明】
１  保持クリップ
２  保持部
３  挿入口
４  受け座
６  抜け止め爪片
８  規制手段
Ｒ  棒材
【図１】
0003643607.tif 000002
【図２】
0003643607.tif 000003
【図３】
0003643607.tif 000004
【図４】
0003643607.tif 000005
【図５】
0003643607.tif 000006
【図６】
0003643607.tif 000007